(57)【要約】【課題】十字穴ネジや六角穴付きボルト頭部にカバーを取り付け、作業工具で外せないようにし、使用場所、使用目的で取り外し難易度を変えるカバー。【解決手段】十字穴ネジ頭部を円柱形状にし、円柱状ネジ頭部側面にストッパー止め溝７はネジ頭先端部方向を深く、ネジ先端部方向に傾斜した溝を形成し、ネジ頭部に装着カバーはバネ材で構成し、バネ材カバー側面にカバー蓋方向にカバー内側に開いた複数の爪状ストッパー２を設け、ネジ頭部に差し込むと爪状ストッパー２がネジ頭部の溝側面でロックされる。またカバー蓋に穴を開け、軟材円板で内側から蓋をし、軟材部に電動ドリルで穴開け可能にし、また軟材円板の一部をシート状にする事でネジ頭部に簡単に封印を行い、シートを破壊してネジを緩めると開封の確認ができ使用場所、使用目的に応じて取り外し難易度を可変させた防犯ネジカバー。【選択図】図２
2008116031.tif 000002
【特許請求の範囲】
【請求項１】
冷間圧造、切り削り加工等で、十字穴ネジやマイナスネジ等のネジ頭部を円柱形状にし、円柱形状ネジ頭部側面円周にカバーのストッパー止めにネジ頭先端方向に深く、反対側のネジ先端部方向に傾斜した溝を形成し、ネジ頭部に装着可能なバネ材で製造したカバーで構成し、バネ材カバーはカバー側面に装着進入逆方向（カバー蓋方向）にカバー内側に開いた複数の爪状ストッパーを設け、バネ材カバーを十字穴ネジ頭部に差し込むと、爪状ストッパーはネジ頭部に沿って進入し、爪状ストッパーは十字穴ネジ頭部に形成された溝内で広がり溝側面に爪状ストッパーでバネ材カバーがロックされ外れなくなり、十字ドライバーや作業工具では外せないようにした防犯ネジカバー。
【請求項２】
冷間圧造、切り削り加工等で六角穴付きボルト頭部側面円周にカバーのストッパー止めにボルト頭先端方向の面を深くし、反対側のネジ部先端方向に傾斜した溝を形成し、六角穴付きボルト頭に装着可能なバネ材で製造したカバーとで構成し、バネ材カバーはカバー側面に装着進入逆方向（カバー蓋方向）にカバー内側に開いた複数の爪状ストッパーを設け、バネ材カバーを六角穴付きボルト頭に差し込むと、爪状ストッパーが六角穴付きボルト頭側面に形成された溝内で広がり、溝側面に爪状ストッパーでバネ材カバーがロックされ、六角穴付きボルト頭からバネ材カバーが外れなくなり、十字棒レンチや作業工具では外せないようにした防犯ネジカバー。
【請求項３】
バネ材料で製造された十字穴ネジ頭、六角穴付きボルト頭用カバー蓋部分にカバー内径より小さな穴を開け、カバー蓋縁部分を残し、カバー内径と同程度か、少し小さめに形成した円板状の軟材（アルミニウム、錫、亜鉛等）、を、カバー蓋縁裏側に挿入装着し、蓋縁裏側に固定し穴を塞ぎ十字穴ネジ頭、六角穴付きボルト頭等に被せ、電動ドリルで穴を開け外せるようにした、請求項１、請求項２に記載された防犯ネジ。
【請求項４】
バネ材で製造された十字穴ネジ頭、六角穴付きボルト頭用カバー蓋部分にカバー内径より小さな穴を開け、カバー蓋縁部分を残し、カバー内径と同程度か、少し小さめに形成した円板状の軟材（アルミニウム、錫、亜鉛等）の一部に切り込み口を入れ、カバー蓋縁裏側に挿入装着し、カバー蓋縁裏側に固定し穴を塞ぎ、切り込み口の一部がカバー蓋縁部分と隙間ができるように構成した、十字穴ネジ頭、六角穴付きボルト頭等にカバーを被せ、隙間にマイナスドライバー等を差し込み軟材蓋部分を破壊できるようにした、請求項１、請求項２に記載された防犯ネジカバー。
【請求項５】
バネ材で製造された十字穴ネジ頭、六角穴付きボルト頭用カバー蓋部分にカバー内径より小さな穴を開け、カバー蓋縁部分を残し、カバー内径と同程度か、少し小さめに形成した円板状の軟材（アルミニウム、錫、亜鉛等）、合成樹脂の一部分を薄くシート状に成形し、バネ材カバー蓋縁裏側に挿入装着し、カバー蓋縁裏側に固定し穴を塞ぎカバーを十字穴ネジ頭、六角穴付きボルト頭等に被せ、ドライバー等を差し込むと軟材円板の薄いシート部分がネジ装着工具のみで破壊できるようにした請求項１、請求項２に記載された防犯ネジカバー。
【請求項６】
バネ材で製造された十字穴ネジ頭、六角穴付きボルト頭用カバー蓋部分にカバー内径より小さな穴を開け、カバー蓋縁部分を残し、カバー内径と同程度か、少し小さめに形成した円板状の軟材（アルミニウム、錫、亜鉛等）や合成樹脂のシート部分にミシン目を入れ、バネ材カバー蓋縁裏側に挿入装着し、カバー蓋縁裏側に固定し穴を塞ぎ、カバーを十字穴ネジ頭、六角穴付きボルト頭等に被せ、ドライバー等で軟材（アルミニウム、錫、亜鉛）円板や合成樹脂円板のシート部分を破壊できるようにした、請求項１、請求項２、請求項４、請求項５に記載された防犯ネジカバー。
【発明の詳細な説明】
【技術分野】
【０００１】  本発明はネジ頭部、ボルト頭部にバネ材円柱カバーを装着し、カバー材料の一部や構造の一部を変えることで、使用目的、使用用途に応じてネジ頭、ボルト頭からカバーを外す難易度を可変可能としたネジ、ボルト、カバーの提供に関する。
【背景技術】
【０００２】  従来から、ボルトやナットなどの利便性から、鉄材の結合締結や建物や工作機械などの組立や公共施設の備品、児童公園の遊戯具等の装着にネジ、ボルトが使用され、ネジの無い建造物、製品、商品は無いと言っても過言でない現状であるが、この利便性ゆえに多くの問題も発生するようになった。【０００３】  児童公園の遊戯具のネジが外され児童が大怪我したり、橋梁のアルミ製の高欄が一晩のうちに何者かに盗まれたり、高圧電線用の鉄塔が倒され、ステンレス製の溝蓋が盗まれたり、更に自動車のナンバープレートが盗まれ、盗難車輌のナンバープレートと盗難ナンバープレートに付け替え盗難車輌の逃走経路や車輌の発見を遅らせ、さらに盗難車輌で凶悪な二次犯罪が発生している。【０００４】  こうした対策に、イタズラ防止用ネジがあるが、特殊レンチしか対応出来ない各種変形十字穴やボタン六角穴等のネジで弱電製品のブラックボックス用や防犯用に利用されているが、各種特殊レンチが販売普及してきた昨今、防犯効果が次第に薄れてきた。【０００５】  六角穴付きネジの六角穴を締結後に六角に成形された金属をハンマー等で打ち込み六角棒レンチを使用出来ないようにした防犯ネジや、カバー内側に溝を成形し、スプリングを装着、カバー横に穴を開け特殊レンチでカバーを外せるようにした防犯ネジが出現した。
【特許文献１】特開２００３−  ９０３２２号広報
【特許文献２】特開２００３−１１３８２９号広報
【発明の開示】
【発明が解決しようとする課題】
【０００６】  上記の特開２００３−９０３２２は十字棒レンチで締結後に、十字穴に六角形金属をハンマーで打ち込む為に、取り付けに十字棒レンチとハンマーが必要になる。更に場所によっては衝撃を与える事が出来ない場所、製品があり、特開２００３−１１３８２９は外すのに特殊レンチが必要な事と、構造が複雑で単価が高価になりやすい。【０００７】  本発明の主題は、取り付け方法の簡素化。十字穴ネジの場合は、プラスドライバーのみで装着締結後バネ材カバーを手で差し込み、カバー固定にカバーの一部を爪状ストッパーとして利用した、極めてシンプルな構造である。【０００８】  ネジの利用は極めて多彩であり、建造物（鉄塔）や公共施設の備品固定用ネジは、一度締結すると、殆どネジを緩める事はなく、こうした場所のネジカバーは簡単に外せ無いように強度を持たせ、最近、問題視されている車輌ナンバープレートのような場所には自動車整備の専門家が外す場合のカバー、個人オーナーが外す場合のカバーや、封印目的のカバーは一部をシート状にし、取り付け工具でシールを破り簡単に外せるが、封印が破られ外された事が一目で分かるようにした多目的のネジ、ボルトカバーの提供である。
【課題を解決するための手段】
【０００９】  本発明はバネ材をプレス加工で十字穴ネジ頭部に被せるようにし、さらにカバー側面には、カバー内部方向に数カ所カバー頭部に向かった方向に斜めに爪状ストッパーを突き出し、十字穴ネジ頭部にストッパーを固定する溝側面を形成し、十字穴ネジをプラスドライバーで締結後にバネ材カバーを押し込み十字穴ネジ頭部に被せると、十字穴ネジ頭部側面でカバー爪状ストッパーは押し上げられ、頭部溝通過後ストッパーの形状は元の形に戻り、十字穴ネジ頭部に形成した溝壁側面に爪状ストッパー先端部が固定される。【００１０】  カバーはバネ材で製造しており、実施例１はバネ材カバーを装着すると電動ドリルでも外す事が出来ない。実施例２はバネ材カバーを製造時に蓋部分に縁が残るように穴を開け、その内側に軟材のアルミニウム等を円板状に作りカバー内側に装着固定、十字穴ネジで締結後カバーを装着する。この場合は電動ドリルで十字穴外径より少し大きめの穴を開けプラスドライバーで緩め外す。実施例３は実施例２の軟材円板に切り込み口を入れ、バネ材カバーの縁と円板切り込み口との間に隙間が出きるように構成し、その隙間にマイナスドライバーの先端を差し込み、マイナスドライバー等で軟質円板を破壊し、プラスドライバーで緩めることでき、作業工具だけで緩められるようにした。実施例４は実施例２の円板を縁部分を厚く、十字穴より少し大きい部分を薄いシート状にし、プラスドライバーを差し込むことでシートを破りネジを外す。ネジ頭の封印を破壊してネジを緩め外した事が分かるようにした。使用場所、使用目的でカバーの破壊難易度を変えたカバー。
【発明の効果】
【００１１】  前記記載のように本発明は極めて単純な構造でカバーとネジだけで構成しており、装着カバーをバネ材のみで製造し、ボルト頭に被せると電動ドリルの刃が立たず電動ドリルではバネ材カバーに穴を開けられずネジを緩め外す事が出来ない。【００１２】  さらにカバー蓋部分に穴を開け、その穴を内側から軟材（アルミニウム、錫、亜鉛）で塞ぎ蓋部分の材料を変える事で、電動ドリルでカバーに穴を開けブラスドライバーや十字棒レンチで締結ネジ、ボルトを緩め外す事が出来る。また軟材の厚さ、形状を変える事で電動工具を使わず作業工具のみでネジ、ボルトを緩め外す事ができ、使用目的、使用場所に応じてカバー強度を変化させカバー破壊難易度を変化するようにした。
【発明を実施するための最良の形態】
【００１３】  ネジ頭部、ボルト頭部に直接バネ材カバーを簡単に取り付け、極めてシンプルな構造で、使用目的、使用場所に応じてカバー材料の一部を変えることで、グラインダー、電動ドリルあるいは作業工具のみで外せるようにした。使用場所、使用目的に応じ取り外し難易度を変化させる、防犯ネジカバーでパーツ点数も２点のみで極めてシンプルな構造である。
【実施例】
【００１４】  本発明の係るネジ、ボルト頭部にバネ材カバーを装着し、ボルト、ネジにドライバー等でトルクを伝えられないようにした防犯ネジの実施形態を図に基づいて説明する。図１は、本発明の一実施例のレイアウトを説明する模式図であり、図２は１図の断面図である。【００１５】  本発明の防犯ネジカバー実施例１について図２を用いて説明する。ネジ頭カバー１をネジ頭６に装着固定した状態で、十字穴ネジ３でネジ締結具（雌ネジ）４に締結結合物５を固定し、ネジ頭カバー１をネジ頭６に押し込む、ネジ頭カバー１に形成された爪状ストッパー２はネジ頭６で外側方向に押し上げられるが、ストッパー止め溝７で内側方向に広がり爪状ストッパー２とストッパー止め溝７の側面で固定されネジ頭カバー１は外れなくなる。ネジ頭カバー１はバネ材で製造しているので、電動ドリルではネジ頭カバー１に穴を開けられないために電動グラインダー等で擦り切る方法しかない。十字穴ネジや六角穴付きボルトを締結する場合、プラスドライバーや六角棒レンチで行うが、この場合十字穴ネジや六角穴付きボルトと直列作業になるために、ネジ頭６を深穴に埋設しネジ頭カバー１を被せるとネジ頭部６、ネジ頭カバー１は深穴内に埋設されているのでグラインダーでも対応できず外す事が出来ない。【００１６】  実施例２は図７で説明する。バネ材で製造した穴あきネジ頭カバー９に軟材円板１０を装着固定した穴あきネジ頭カバー９を六角穴付きボルト１５に被せた断面図である。この軟材円板は電動ドリルで穴を開けることが可能で六角棒レンチの使用が可能になり、ネジ、ボルトを外す作業にプラスドライバーや六角棒レンチの使用が可能になり、防犯用ネジとしては公共施設の備品用固定ネジ、ボルトで備品交換時に取り外し可能な防犯ネジカバーで、電動ドリルと取り付け作業工具で対応できる実施例２。【００１７】  実施例３としては、図５に図６の切り口付き軟材円板１１に切り込み口１２を付けた切り口付き軟材円板１１を穴あきネジ頭カバー９に取り付けた正面図で、切り込み口１２と穴あきネジ頭カバー９の縁との間に隙間１３ができるように構成し、隙間１３にマイナスドライバー等を差込み円板を破壊可能とし、六角棒レンチ、十字ドライバーで外せるようにした工具が２種類必要で取り外し作業も２行程にした防犯用カバーで、ナンバープレートは名義変更時にナンバーが変わる場合はネジを外す必要があり、ネジの取り付け作業時間より、外す作業行程、作業時間が掛かるようにした実施例３。【００１８】  更に実施例４としては、円板の一部をシート状に薄くしネジ頭６に被せ、封印をしたネジで十字ドライバー等でシート部分を破り、十字ドライバーで直接ネジを緩められるようにした防犯ネジカバーで、弱電製品等のブラックボックス、高圧電流部品の危険部分は製造メーカーの人間以外のヒトに触ることを禁止した場合、ネジ頭６を封印した封を破壊しネジを緩め開封したことの確認用として実施例４。
【産業上の利用可能性】
【００１９】  犯罪の凶悪化が進みイタズラ防止、盗難防止用器具の要望は極めて強くなり、自動販売機、金庫、住宅、屋外の施設、備品設備等の各メーカーはその対策に苦慮している。２００キロの金庫を５分以内に金庫ごと持ちだす窃盗団、警察は通報後、平均１０分程度で現場に駆けつけている。その為に金庫を簡単に運び出せないようにボルト等で固定している場合も多くあるが、簡単にボルトが外せるために短時間で運び出している。また車輌の盗難も、盗難後、適当な場所で盗難ナンバープレートと交換し逃走経路を特定できないようにしている。また住宅に関しても色々な防犯対策が要望されており、本発明の使用目的、使用場所でのネジの取り外し時間を設定できることと、メーカーのメンテが必要な場所ではネジを外す作業時間が２行程になる等、また封印も簡単にできメーカーの製品管理も可能でニーズは極めて大きいと思われる。
【図面の簡単な説明】
【００２０】
【図１】本発明の実施例で外観側面図でネジ頭部にバネ材カバー装着図。
【図２】図１の断面図でネジ頭部にカバー装着状態説明図。
【図３】穴あきカバー蓋部分に軟材装着状態のカバー正面図。
【図４】軟材円板の正面図。
【図５】穴あきカバーに切り口付きの軟材円板を装着固定した図でカバー縁と円板切り口の隙間を表すカバー正面図。
【図６】切り口付き軟材円板の正面図
【図７】軟材円板をカバーに装着、六角穴付きボルトに被した断面図。
【図８】十字穴ネジ側面図でストッパー止め溝部分説明図。
【符号の説明】
【００２１】    １  ：ネジ頭カバー
２  ：爪状ストッパー
３  ：十字穴ネジ
４  ：ネジ締結具（雌ネジ）
５  ：締結固定物
６  ：ネジ頭
７  ：ストッパー止め溝
８  ：十字穴
９  ：穴あきネジ頭カバー
１０：軟材円板
１１：切り口付き軟材円板
１２：切り込み口
１３：隙間
１４：六角穴
１５：六角穴付きボルト
【図１】
2008116031.tif 000003
【図２】
2008116031.tif 000004
【図３】
2008116031.tif 000005
【図４】
2008116031.tif 000006
【図５】
2008116031.tif 000007
【図６】
2008116031.tif 000008
【図７】
2008116031.tif 000009
【図８】
2008116031.tif 000010